(57)【特許請求の範囲】
【請求項１】
音響的に互いに離隔した少なくとも１組のラウドスピーカーエレメントからなり、これらエレメントの間の距離は、これらエレメントによって発せられる最も短い波長の４分の１より短いか、又は、前記最も短い波長が６８ｃｍ未満である場合、１７ｃｍより短い、オーディオステレオ再生システムで処理されたステレオ信号を再生するために中央入力信号（Ｍ）と側部入力信号（Ｓ）である又はこれら信号が得られる２つの入力信号からなる入力オーディオステレオ信号の処理方法において、因子αによって減衰された中央入力信号（Ｍ）と側部入力信号（Ｓ）との合計に等しい左出力信号を前記１組のラウドスピーカーエレメントの左に位置するラウドスピーカーに送るために製する工程と、因子αによって減衰された中央入力信号（Ｍ）と１８０°相転移された側部入力信号（Ｓ）との合計に等しい右出力信号を前記１組のラウドスピーカーエレメントの右に位置するラウドスピーカーに送るために製する工程とからなり、さらに前記減衰因子αが、−３ｄＢ乃至−１０ｄＢの範囲にある方法。
【請求項２】
さらに因子αによって減衰された中央入力信号（Ｍ）と側部入力信号（Ｓ）との合計に等しい左出力信号を製する工程と、因子αによって減衰された中央入力信号（Ｍ）と１８０°相転移された側部入力信号（Ｓ）との合計に等しい右出力信号を製する工程とからなることを特徴とする請求項１記載の方法。
【請求項３】
前記減衰因子αが、−５ｄＢ乃至−１０ｄＢの範囲にあることを特徴とする請求項１又は２いずれか１項記載の方法。
【請求項４】
前記減衰因子αが、−６ｄＢ乃至−９ｄＢの範囲にあることを特徴とする請求項１又は２いずれか１項記載の方法。
【請求項５】
１組以上の左右の出力信号が、対応する対のラウドスピーカーエレメントでの再生のために製せられることを特徴とする請求項１乃至４いずれか１項に記載の方法。
【請求項６】
音響的に互いに離隔した少なくとも１組のラウドスピーカーエレメントからなり、これらエレメントの間の距離は、これらエレメントによって発せられる最も短い波長の４分の１より短いか、又は、前記最も短い波長が６８ｃｍ未満である場合、１７ｃｍより短い、オーディオステレオ再生システムで処理されたステレオ信号を再生するために左入力信号（Ｌ）と右入力信号（Ｒ）である又はこれら信号が得られる２つの入力信号からなる入力オーディオステレオ信号の処理方法において、左入力信号（Ｌ）と因子α＋１との積と右入力信号（Ｒ）と因子α−１との積との合計である左出力信号を製する工程と、左入力信号（Ｌ）と因子α−１との積と右入力信号（Ｒ）と因子α＋１との積との合計である右出力信号を製する工程とからなり、さらに減衰因子αが、−３ｄＢ乃至−１０ｄＢの範囲にあることを特徴とする方法。
【請求項７】
前記減衰因子αが、−５ｄＢ乃至−１０ｄＢの範囲にあることを特徴とする請求項６記載の方法。
【請求項８】
前記減衰因子αが、−６ｄＢ乃至−９ｄＢの範囲にあることを特徴とする請求項６記載の方法。
【請求項９】
１組以上の左右の出力信号が、対応する対のラウドスピーカーエレメントでの再生のために製せられることを特徴とする請求項６乃至８いずれか１項に記載の方法。
【請求項１０】
音響的に互いに離隔した少なくとも１組のラウドスピーカーエレメントからなり、これらエレメントの間の距離は、これらエレメントによって発せられる最も短い波長の４分の１より短いか、又は、前記最も短い波長が６８ｃｍ未満である場合、１７ｃｍより短い、オーディオステレオ再生システムで処理されたステレオ信号を再生するために中央入力信号（Ｍ）と側部入力信号（Ｓ）である又はこれらの信号が得られる２つの入力信号からなる入力オーディオステレオ信号の処理装置において、因子αによって減衰された中央入力信号（Ｍ）と側部入力信号（Ｓ）との合計に等しい左出力信号を前記１組のラウドスピーカーエレメントの左に位置するラウドスピーカーに送るために製し、且つ因子αによって減衰された中央入力信号（Ｍ）と１８０°相転移された側部入力信号（Ｓ）との合計に等しい右出力信号を前記１組のラウドスピーカーエレメントの右に位置するラウドスピーカーに送るために製し、さらに前記減衰因子αが、−３ｄＢ乃至−１０ｄＢの範囲にある装置。
【請求項１１】
因子αによって減衰された中央入力信号（Ｍ）と側部入力信号（Ｓ）との合計に等しい左出力信号を製し、因子αによって減衰された中央入力信号（Ｍ）と１８０°相転移された側部入力信号（Ｓ）との合計に等しい右出力信号を製するために配されていることを特徴とする請求項１０記載の装置。
【請求項１２】
前記減衰因子αが、−５ｄＢ乃至−１０ｄＢの範囲にあることを特徴とする請求項１０記載の装置。
【請求項１３】
前記減衰因子αが、−６ｄＢ乃至−９ｄＢの範囲にあることを特徴とする請求項１０記載の装置。
【請求項１４】
音響的に互いに離隔した少なくとも１組のラウドスピーカーエレメントからなり、これらエレメントの間の距離は、これらエレメントによって発せられる最も短い波長の４分の１より短いか、又は、前記最も短い波長が６８ｃｍ未満である場合、１７ｃｍより短い、オーディオステレオ再生システムで処理されたステレオ信号を再生するために左入力信号（L）と右入力信号（R）である又はこれらの信号が得られる２つの入力信号からなる入力オーディオステレオ信号の処理装置において、左入力信号（Ｌ）と因子α＋１との積と右入力信号（Ｒ）と因子α−１との積との合計である左出力信号を製し、左入力信号（Ｌ）と因子α−１との積と右入力信号（Ｒ）と因子α＋１との積との合計である右出力信号を製し、さらに減衰因子αが、−３ｄＢ乃至−１０ｄＢの範囲にあることを特徴とする処理装置。
【請求項１５】
前記減衰因子αが、−５ｄＢ乃至−１０ｄＢの範囲にあることを特徴とする請求項１４記載の装置。
【請求項１６】
前記減衰因子αが、−６ｄＢ乃至−９ｄＢの範囲にあることを特徴とする請求項１４記載の装置。
【請求項１７】
請求項１又は６記載の方法で処理されたオーディオステレオ信号の再生に適し、互いに音響的に離隔された少なくとも１組のラウドスピーカーエレメント（３’ａ、３’’ａ；３’ｂ、３’’ｂ）からなり、各組のエレメントは同じであり且つ分割面の対向側部に対称に位置するオーディオステレオ信号再生システムにおいて、前記１組のラウドスピーカーエレメントは、これらエレメントの中心と中心間の距離が、前記エレメントによって発せられる最も短い波長の４分の１より短くなるように配されるか、又は、この最も短い波長が６８ｃｍ未満である場合、前記中心と中心間の距離が１７ｃｍより短くなるように配されており、さらに減衰因子αが、−３ｄＢ乃至−１０ｄＢの範囲にあることを特徴とする再生システム。
【請求項１８】
前記１組のラウドスピーカーエレメントは、互いに隣接して配されていることを特徴とする請求項１７記載の再生システム。
【請求項１９】
１組以上のラウドスピーカーエレメントを含むことを特徴とする請求項１７又は１８記載の再生システム。
【請求項２０】
前記１組以上のラウドスピーカーエレメントが、同じ分割面を共有することを特徴とする請求項１９記載の再生システム。
【請求項２１】
前記１組以上のラウドスピーカーエレメントが、１つの一体のエンクロージャーに設けられていることを特徴とする請求項２０記載の再生システム。
【請求項２２】
プレート（４）が、前記少なくとも一組のラウドスピーカーエレメントの間の中央に配され且つ前記ラウドスピーカーエレメントの前面から延びていることを特徴とする請求項１７乃至２１いずれか１項に記載の再生システム。
【請求項２３】
前記プレートが、固定されていることを特徴とする請求項２２記載の再生システム。
【請求項２４】
前記プレートが、収納可能であることを特徴とする請求項２２記載の再生システム。
【請求項２５】
前記プレートが、前記１組の各ラウドスピーカーエレメントの中心と中心との間の距離の半分の距離に等しくラウドスピーカーエレメントの前面から延びていることを特徴とする請求項２２乃至２４いずれか１項に記載の再生システム。
【請求項２６】
前記減衰因子αが、−５ｄＢ乃至−１０ｄＢの範囲にあることを特徴とする請求項１７乃至２５いずれか１項に記載の再生システム。
【請求項２７】
前記減衰因子αが、−６ｄＢ乃至−９ｄＢの範囲にあることを特徴とする請求項１７乃至２５いずれか１項に記載の再生システム。
【請求項２８】
入力オーディオステレオ信号を処理するための装置からなり、この装置は、因子αによって減衰された中央入力信号（Ｍ）と側部入力信号（Ｓ）との合計に等しい左出力信号を製し前記１組のラウドスピーカーエレメントの左に位置するラウドスピーカーに送り且つ因子αによって減衰された中央入力信号（Ｍ）と１８０°相転移された側部入力信号（Ｓ）との合計に等しい右出力信号を製し前記１組のラウドスピーカーエレメントの右に位置するラウドスピーカーに送るために配されており、さらに前記減衰因子αが、−３ｄＢ乃至−１０ｄＢの範囲にあることを特徴とする請求項１７乃至２７記載の再生システム。
【請求項２９】
前記減衰因子αが、−５ｄＢ乃至−１０ｄＢの範囲にあることを特徴とする請求項２８記載の再生システム。
【請求項３０】
前記減衰因子αが、−６ｄＢ乃至−９ｄＢの範囲にあることを特徴とする請求項２８記載の再生システム。
【発明の詳細な説明】
【０００１】
本発明は、可聴周波立体音響信号（audio stereo signal、以下オーディオステレオ信号とする）を処理及び再生する方法及び装置並びに対応するオーディオステレオ信号再生システムに関する。さらに詳述すると、本発明は、オーディオステレオ信号再生システム及びこのような再生システムから発せられる明確な立体音響イメージを維持するためのオーディオステレオ信号の処理方法に関する。
【０００２】
実際の録音現場で視聴者が、経験する音を忠実に再現することを目的とした方法及びシステムが多く存在している。これらの中でステレオ効果、即ち、異なる空間的位置から生じる異なる音源の印象を忠実に再生することができるのはヘッドフォンである。ヘッドフォンを使用して録音されたステレオサウンドを聴くことによって視聴者は、実際の録音現場で知覚されるイメージと同じステレオイメージを知覚することができる。ヘッドフォンを使うという方法は、しかしながら、一人以上の聴衆にステレオサウンドを再生する方法としては、適していない。この欠点を解消するために２つ以上のラウドスピーカーからなるオーディオステレオ再生システムを使用してステレオサウンドを再生する手段が取られている。これらのシステムの殆どは、広く間隔をおいて配された一対のラウドスピーカーを基本としており、視聴者の２つの耳で知覚される音の相対的強度及び時差の双方の点でステレオ効果は、ラウドスピーカーに対する一つの場所においてのみ知覚される。このことは大勢の視聴者の内の１人しか、正確なステレオ効果を体験することができないということを意味している。それ以外の視聴者は、従って、歪んだステレオ効果を体験することになる。ステレオ効果が、正しく知覚される領域を広げるために色々な手段が、今まで試されてきたが、その成果には一長一短がある。
【０００３】
少なくとも１人の視聴者にステレオ効果の再生を可能にするために十分な距離をおいて２つのラウドスピーカーを物理的に離すことは、一般的には実践的ではなく、特定の場合、不可能である。そのような例としては、ラウドスピーカーと一体となった単体のステレオラジオ又はＣＤプレーヤーあるいは車又は小さな部屋にいる何人かの視聴者のためにステレオサウンドを再生する場合などが挙げられる。知覚されるステレオ効果の幅を広げるためにＡＢステレオシステムによって再生される側部信号と中央信号の相対強度を調整することによってステレオ効果の幅の印象を改善することができるが、立体的な音の広がりを歪ませる場合があり、３ｄＢ以上これら２つの信号間の比を移行しないことが望ましい。間隔の狭く設けられた１対のラウドスピーカーからのステレオ効果を改良する他の方法も提案されているが、その効果には限界があることが証明されている。
【０００４】
本発明の目的は、オーディオステレオ信号が、従来の方法で可能だった領域より広い領域に亘って、知覚されるステレオ効果において高度に再現できるようにオーディオステレオ信号を処理するための方法及び装置を提供することである。
【０００５】
本発明の別の目的は、互いに近接して配された１組のラウドスピーカーを用いてオーディオステレオ信号が、知覚される音の立体象において高度に再現できるようにオーディオステレオ信号を処理するための方法及び装置を提供することである。
【０００６】
本発明の方法及び装置は、入力オーディオステレオ信号対から左及び右出力信号を発生させる。左出力信号は、因子（factor）αによって減衰（attenuate）された中央入力信号（Ｍ）と側部入力信号（Ｓ）との合計に等しく、右出力信号は、因子αによって減衰された中央入力信号（Ｍ）と１８０°相転移（phase shifted）された側部信号（Ｓ）との合計に等しい。これら左右の出力信号が、出力オーディオステレオ信号を形成する。最終的にこの出力オーディオステレオ信号は、互いに近接して位置する１組のラウドスピーカーからなるオーディオステレオ信号再生システムへと導かれる。
【０００７】
本発明の他の別の目的は、本発明の方法で処理されたオーディオステレオ信号の再生に適した少なくとも１組の同じラウドスピーカーエレメントからなるラウドスピーカーシステムを提供することである。ここで言う１組の同じラウドスピーカーエレメントとは、実質的に同じ送信機能を有する、即ち、スピーカーエレメントから発せられる音波に関して実質的に同じように電気入力信号に反応することを意味する。
【０００８】
本発明のラウドスピーカーシステムは、２つのラウドスピーカーエレメントを互いに音響的に離隔する個別の共鳴容積（resonating volumes）を有するバッフル上に位置する少なくとも１組の同じラウドスピーカーエレメントからなる。これらラウドスピーカーエレメントは、仮想の分割面の対向側部に対称に位置する。またこれらラウドスピーカーエレメントは、これらの中心と中心の距離が、これらエレメントから発せられる最も短い波長の４分の１未満となるように位置するか、又は、エレメントから発せられる最も短い波長が６８ｃｍ未満の場合、前記中心と中心間の距離が１７ｃｍ未満になるように位置する。スピーカーエレメントは、互いに隣接して位置するのが好ましい。
【０００９】
また本発明のシステムは、互いに共通の分割面を共有する１つ以上のこのようなラウドスピーカーからなる。
【００１０】
またさらに本発明の別の態様におけるシステムは、上述の種の処理装置を含む場合もある。
【００１１】
図１は、本発明によるオーディオステレオ信号処理方法及びM−S入力信号用の装置の機能を例示する。この入力オーディオステレオ信号は、中央信号（mid signal）Mと側部信号（side signal）Sとからなり、これらの信号は、各々、左入力ステレオ信号Lと右入力ステレオ信号Rとの合計及びこれら左右の入力ステレオ信号L、Rの差に対応する。本発明の方法では、左に位置するサウンド再生ユニット２’へと送られる出力ステレオ信号LOUTは、側部信号Sと中央信号Mと減衰因子αとの積との合計であり、右に位置するサウンド再生ユニット２’’へと送られる出力ステレオ信号ROUTは、逆転された（inverted）側部信号と中央信号Mと減衰因子αとのの積との合計である。これを数学的に表すと次のようになる。
【００１２】
【数１】
0004519388.tif 000002
【００１３】
側部信号を反転（inverting）することは、側部信号を否定（negate）する又は１８０°相転移（phase shifting）させることに等しい。
【００１４】
中央信号Ｍは、録音システム、以前及び連続するステレオ信号処理及びステレオ再生システムが、最適であると仮定した場合、通常−６ｄＢ乃至−９ｄＢとなる因子αによって減衰される。減衰された中央信号Ｍは、Ｓ及び−Ｓ信号にそれぞれ加えられ、得られた対の信号は、一組のオーディオ信号再生エレメントに供給される。広く間隙をおいて配されるラウドスピーカーエレメントを有する通常のオーディオ再生システムによってこのようにして得られた信号を再生しても十分な効果は得られず、本発明のオーディオステレオ信号再生システムを使用することによって原音に近いステレオ効果が再生される。
【００１５】
通常の場合、減衰因子αは、視聴者によって知覚されるステレオ効果を最適化するために設けられ、−３ｄＢ乃至−１０ｄＢの間隔で変化する。最適な減衰因子の値は、ラウドスピーカーエレメントから発せられる音の分散角度に依存することが判明している。狭い分散角度を有するラウドスピーカーエレメントでは、最適な値は、約−６ｄＢであり、広い分散角度を有するエレメントでは、最適値が約−９ｄＢとなる。
【００１６】
出力ステレオ信号ＬOUT、ＲOUTは、信号電力における僅かな変化を補う正規化因子（normalization factor）によって乗される場合があるが、出力信号を減衰又は増幅することは、当業界では知られている。
【００１７】
図２は本発明による上述したものと同じオーディオステレオ信号の処理方法を例示するが、この方法はL−R入力信号用である。入力オーディオステレオ信号は、左右のステレオ信号L、Rからなり、これらは各々、中央ステレオ信号Mと側部ステレオ信号Sとの合計の２分の１と中央ステレオ信号Mと側部ステレオ信号Sとの差の２分の１に対応する。本発明では、左出力ステレオ信号LOUTは、左ステレオ信号Lと因子１＋αとの積と右ステレオ信号Rと因子α−１との積との合計であり、右出力ステレオ信号ROUTは、右ステレオ信号Lと因子α−１との積と右ステレオ信号Rと因子１＋αとの積との合計である。これを数学的に表すと次のようになる。
【００１８】
【数２】
0004519388.tif 000003
【００１９】
Ｒ及びＬ信号が、Ｍ及びＳ信号の線形変換によって発見できるので、見かけ上は異なる上述の２つの方法は、得られる出力という点で同一であることは明らかである。数学的にこれは次のような変換によって示される。
【００２０】
【数３】
0004519388.tif 000004
【００２１】
従って、通常本発明の方法は、Ｒ及びＬ信号又はＭ及びＳ信号の線形変換として説明されるいかなる入力に等しく使用することができるが、便宜上、本発明の方法はＭ及びＳそしてＲ及びＬを使用して例示した。従って、入力信号が実際にはＭ及びＳ信号から構成されるとしても、又は入力信号がＬ及びＲ信号又はＭ及びＳ信号に線形変換することが可能な他の信号から構成されるようなＭ及びＳ信号が入力信号から得ることができる場合、本発明の方法は、Ｓ＋αＭ及び−Ｓ＋αＭに等価である出力を有する方法として解釈されるべきである。
【００２２】
本発明の方法は、その処理の中間工程でＭ及びＳ信号を製するが、これはこれらの信号が製せられなければならないという意味ではない。
【００２３】
図３は、本発明のオーディオステレオ信号再生システムの好ましい態様を示す。このサウンド再生システム１は、２つのサウンド再生ユニット２’及び２’’からなり、これら各再生ユニットは、１つ又はいくつか、この場合３つのラウドスピーカーエレメント３’ａ、３’ｂ、３’ｃ及び３’’ａ、３’’ｂ、３’’ｃを含む。図示するようにサウンド再生システム１は、２つのサウンド再生ユニット２’、２’’の間にこれら２つのユニットの共鳴器を音響的に隔離する遮断壁６を有する１つの共通なエンクロージャーを有する。ここで言う「音響的に隔離する」という用語は、音が全く又は殆ど、１つの共鳴器から別の共鳴器に移動しないということを意味する。またサウンド再生システム１を、互いに近接して位置する又は互いに接した状態で位置する２つの別個のユニットで構成することもできる。いずれの場合、各サウンド再生ユニットの対応する各対のラウドスピーカーエレメントは、図示の態様において各対のラウドスピーカーエレメント３’ａ、３’’ａ等によって均一なサウンドパターンが発せられるように遮断壁６によって形成される離隔面に対して対称に位置する。さらにラウドスピーカーエレメント間の干渉により発せられた音のロービング（lobing）によって生じる調子（coloration）を最小にするために実際上可能な限り、各対のラウドスピーカーエレメント３’ａ、３’’ａ等は、互いに近接して位置するのが好ましい。これは発せられる音の波長の４分の１より、ラウドスピーカーエレメント間の距離が小さい場合に達成される。このような距離にラウドスピーカーエレメントを配するということは、高周波数ラウドスピーカーエレメントは、低周波数ラウドスピーカーエレメントより互いに近接して配されなければならないということを意味する。
【００２４】
中及び高周波数ラウドスピーカーエレメント各々によって再生される周波数間隔（frequency intervals）を部分的に分離するための低級（第１又は第２）フィルターを採用したサウンド再生システムでは、比較的大きな周波数間隔が残り、これは部分的に中及び高周波数ラウドスピーカーエレメント双方によって再生される。この効果は、ステレオ再生の忠実度（fidelity）をゆがめることになり、このような場合には、中及び高周波数ラウドスピーカーエレメントを互いに水平方向に一列に並ぶように位置させるのが好ましい。この場合互いに可能な限り近接した状態に配置されていない高周波数ラウドスピーカーエレメントを補償するために中央信号減衰因数αは、α（ｆ）で表される周波数従属（frequency dependent）であることが好ましく、ここでｆは周波数であり、このことはエレメントから発せられる波長の距離よりスピーカーを互いに近接して配置することができない場合のことをも意味する。
【００２５】
図４にサウンド再生ユニット２’及び２’’の間に位置するプレート４をより詳しく示す。この任意の部材は、オーディオスペクトル（audio spectrum）の中から高周波数部分の知覚されるステレオ効果を高めるためのものである。プレート４は、サウンド再生ユニットに対して対称に位置し、且つこれら再生ユニットの前面から実質的に直交して延びている。プレートの形状及び再生ユニットの前面から直交して延びていることはオーディオステレオ信号再生システムが使用される環境の音響的特性及びラウドスピーカーエレメント３の特性に適合させたものである。またプレートは、一組のスピーカーエレメントの各エレメントの中心と中心との間の距離の半分に等しい距離分、スピーカーエレメントの前面から延びていることが最も好ましい。プレートの音響特性は、電気的に中性であるが、一組のスピーカーエレメントの２つのエレメントから発せられる音波が、プレートの延長部に等しい距離を伝播するまで互いに混ざるのを防ぐことができる材料でプレートを構成してもよい。プレートはまた周囲の音響特性が変化する場合にシステムの性能を最適化するために延伸及び収納可能に構成してもよい。
【００２６】
図５は本発明によるオーディオステレオサウンド再生システムの第２の態様を示し、このシステムは左右のユニットを容易に分けることができない。このサウンド再生システムは、５つのラウドスピーカーエレメント３’ａ、３’’ａ、３’ｂ、３’’ｂ及び３ｃからなる。ラウドスピーカーエレメント３’ａ、３’’ａは、１つのラウドスピーカー対を構成し、ラウドスピーカーエレメント３’ｂ、３’’ｂは、第２のラウドスピーカー対を構成する。一組のラウドスピーカーの２つのエレメントは、同じである。対のエレメントの各中心間の距離は、エレメントから発せられる最も短い波長の４分の１より短いか、又は、エレメントから発せられる最も短い波長が６８ｃｍ未満の場合、少なくとも１７ｃｍを越えない長さになる。１組のラウドスピーカーエレメントは、仮想分割面（図示せず）の対向側部に対称に配されている。エレメント３’ａ、３’’ａ、３’ｂ、３’’ｂによって構成される２組のエレメントは、それぞれ同じ分割面を共有する。ラウドスピーカー３ｃは、この種のラウドスピーカーエレメント対とは異なる種類のものである。
【００２７】
図６は、図５に示した態様を上から見た状態を示し、図７は横から見た状態を示す。これらの図から明らかなように、２組のエレメント３’ａ、３’’ａとエレメント３’ｂ、３’’ｂ及び１つのエレメント３ｃは、互いに段状に配され且つ背面から異なる高さに位置している。各対のエレメントにはプレート４が設けられているが、エレメント３ｃには設けられていない。左に位置するエレメント３’ａと３’ｂは、対応する右側に位置するエレメント３’’ａ、３’’ｂから音響的には独立している。エレメント３ｃの共鳴容積（resonance volume）は、左右に分かれていなく、他の共鳴容積から音響的に独立している。
【００２８】
エレメント３’ａ、３’’ａ又はエレメント３’ｂ、３’’ｂからなる一組のラウドスピーカーエレメントに送られた入力オーディオステレオ信号は、上述の方法によって処理される。この処理は減衰因子α又はその最適な周波数従属α（ｆ）の点で各組で異なる。
【００２９】
本発明は、上述の通り、種々の変形例が可能であり、従って本発明は、本明細書又は添付図面に例示した態様に限定されるものではない。
【図面の簡単な説明】
【図１】  本発明によるM−S信号の処理方法を例示したブロック図。
【図２】  本発明によるL−R信号の処理方法を例示したブロック図。
【図３】  本発明の第１の態様によるラウドスピーカーの前面図。
【図４】  図３に示したラウドスピーカーの部分頂部断面図。
【図５】  本発明の第２の態様によるラウドスピーカーの前面図。
【図６】  図５に示したラウドスピーカーの部分頂部断面図。
【図７】  図５に示したラウドスピーカーの部分横断面図。
【図１】
0004519388.tif 000005
【図２】
0004519388.tif 000006
【図３】
0004519388.tif 000007
【図４】
0004519388.tif 000008
【図５】
0004519388.tif 000009
【図６】
0004519388.tif 000010
【図７】
0004519388.tif 000011